(57)【要約】【課題】同一グループのＩＣタグラベルに同一のＩＤを付与してＩＣタグラベルを発行する。【解決手段】台紙上に複数のＩＣタグラベルをグループを成して設置し、前記グループを成す複数のＩＣタグラベルを台紙又はＩＣタグラベルのインレットシートに形成されたタイミングマークを位置検出手段で検出しつつ、同一のグループの前記ＩＣタグラベル毎に同じＩＤデータを、前記ＩＣタグラベルのアンテナを介して前記ＩＣタグラベルのＩＣチップの記憶回路に書き込む。【選択図】図４
2013131120.tif 000002
【特許請求の範囲】
【請求項１】
台紙上に複数のＩＣタグラベルをグループを成して設置し、前記グループを成す複数のＩＣタグラベルを台紙又はＩＣタグラベルのインレットシートに形成されたタイミングマークを位置検出手段で検出しつつ、同一のグループの前記ＩＣタグラベル毎に同じＩＤデータを、前記ＩＣタグラベルのアンテナを介して前記ＩＣタグラベルのＩＣチップの記憶回路に書き込むことを特徴とするＩＣタグラベル発行方法。
【請求項２】
請求項１記載のＩＣタグラベル発行方法であって、前記インレットシートが長尺状であって、前記インレットシートの長手方向に前記複数のＩＣタグラベルが一列に配列されていることを特徴とするＩＣタグラベル発行方法。
【請求項３】
請求項１又は２に記載のＩＣタグラベル発行方法であって、前記ＩＣタグラベルから、書き込まれたＩＤを読出し、ＩＤが正常に書き込まれていない場合には、該ＩＣタグラベルを含む同一のグループのＩＣタグラベル全体を不良と判定することを特徴とするＩＣタグラベル発行方法。
【発明の詳細な説明】
【技術分野】
【０００１】
本発明は、外部と情報の無線通信が可能な無線ＩＣタグに関して、複数のＩＣタグラベルに同一の固有のグループＩＤを書き込むＩＣタグラベル発行方法に関する。
【背景技術】
【０００２】
小型の無線タグとリーダ（読み取り装置）／ライタ（書き込み装置）との間で非接触で情報の読み取り／書き込みを行うＲＦＩＤ（Ratio Frequency Identification）システムが知られている。例えば無線ＩＣタグラベルは、所定の無線タグ情報を記憶するＩＣチップとこのＩＣチップに接続されて情報の送受信を行うアンテナとを備えており、無線ＩＣタグラベルが汚れている場合や見えない位置に配置されている場合であっても、リーダ／ライタ側よりＩＣチップの無線ＩＣタグ情報に対してアクセス（情報の読み取り／書き込み）が可能であり、商品管理や検査工程等の様々な分野において実用されている。
【０００３】
そのＩＣタグラベルのＩＣチップには、各ＩＣチップ毎に固有のＵＩＤ（ユニークＩＤ）が記録されている。そのＩＣチップを用いて、例えば特許文献１のようなＩＣタグラベル発行装置を用いてＩＣタグラベルが発行されていた。
【０００４】
詳しくは、ＩＣタグラベルのＩＣチップ、すなわちＲＦＩＤが送信する信号の一例では、信号はプリアンブルビット、識別情報（ユニークＩＤ）及びＣＲＣビットを含む例がある。その場合のプリアンブルビットは使用される通信プロトコルで決められるオーバーヘッドに関する情報を含む。識別情報（ユニークＩＤ）は、ＩＳＯヘッダ、ＩＣメーカーコード、企業コード、製品コード及びシリアル番号を含む。ＩＣメーカーコードは、ＲＦＩＤを構成する集積回路（ＬＳＩ）の製造元を示す。企業コードは、ＲＦＩＤを利用して製品管理を行う者を示す。製品コードは、ＲＦＩＤが同伴する管理対象体の種類を区別する。管理対象体は例えば、テレビジョン、パーソナルコンピュータその他の何らかの管理がなされる如何なるものでもよい。シリアル番号は、例えば製品の製造番号のような、管理対象体個々に固有の情報を示す。ＣＲＣビットは、誤り検査用に付加されたビットである。識別情報（ユニークＩＤ）を表す６４ビットの全体について演算が行われ、その演算結果がＣＲＣビットとして付加される。
【先行技術文献】
【特許文献】
【０００５】
【特許文献１】特開２００５−３１００５４号公報
【特許文献２】国際公開ＷＯ０９／１２０２３２号パンフレット
【発明の概要】
【発明が解決しようとする課題】
【０００６】
特許文献１のようなＩＣタグラベル発行装置を用いて作られるＩＣタグラベルは、１つ１つのＩＣタグラベルが異なるユニークＩＤで区別されていて、同じユニークＩＤを有するＩＣタグラベルが複数存在することは無かった。特に、特許文献２に記載されているように、ＩＣタグラベルのＩＣチップ、すなわちＲＦＩＤタグは、クローニングと偽造を防止するために認証で最もセキュリティの高い性能を持っていることに特徴がある。そのため、従来は、複数のＩＣタグラベル（ＲＦＩＤ）が同じＩＤを持ち同じ信号を送信することは想定されていなかった。
【０００７】
そのため、同一カテゴリーの物品を同一グループとして管理する場合にも、それらの同じグループに属する物品に同一のＩＤ番号のＩＣタグラベルを付与することができず、同
一グループの物品の管理は難しい問題があった。
【０００８】
本発明の目的は、かかる従来の問題を解決し、同一グループのＩＣタグラベルに同一のＩＤを付与してＩＣタグラベルを発行する方法を提供することにある。
【課題を解決するための手段】
【０００９】
本発明は、上記課題を解決するために、台紙上に複数のＩＣタグラベルをグループを成して設置し、前記グループを成す複数のＩＣタグラベルを台紙又はＩＣタグラベルのインレットシートに形成されたタイミングマークを位置検出手段で検出しつつ、同一のグループの前記ＩＣタグラベル毎に同じＩＤデータを、前記ＩＣタグラベルのアンテナを介して前記ＩＣタグラベルのＩＣチップの記憶回路に書き込むことを特徴とするＩＣタグラベル発行方法である。
【００１０】
このようにする本発明によれば、同一のグループの所定数のＩＣタグラベルに同一のＩＤを書き込むことで、複数の同一グループの物品をＩＣタグラベルによって容易にグループ化して管理できるようになる効果がある。
【００１１】
また、本発明は、上記のＩＣタグラベル発行方法であって、前記シートが長尺状であって、前記シートの長手方向に前記複数のＩＣタグラベルが一列に配列されていることを特徴とするＩＣタグラベル発行方法である。
【００１２】
本発明は、これにより、位置検出手段が各ＩＣタグラベルの位置を容易に検出することができる効果がある。
【００１３】
また、本発明は、上記のＩＣタグラベル発行方法であって、前記ＩＣタグラベルから、書き込まれたＩＤを読出し、ＩＤが正常に書き込まれていない場合には、該ＩＣタグラベルを含む同一のグループのＩＣタグラベル全体を不良と判定することを特徴とするＩＣタグラベル発行方法である。
【発明の効果】
【００１４】
本発明は、同一のグループの所定数のＩＣタグラベルに同一のＩＤを書き込むことで、複数の同一グループの物品をＩＣタグラベルによって容易にグループ化して管理できるようになる効果がある。
【００１５】
例えば、同じカテゴリーの物品に同じＩＤを記録したＩＣタグを添付することで、容易に同じグループの物品を一括管理することができるようになる効果がある。
【００１６】
また、同一のグループの所定数のＩＣタグラベル１００に同一のＩＤを書き込むことで、同じグループのＩＣタグラベル１００を、同じグループの他のＩＣタグラベル１００のバックアップ用のＩＣタグラベル１００として利用できる効果がある。
【００１７】
更に、１組の物品に同一のＩＤのＩＣタグラベル１００を用いることで、その構成要素の組合せが容易に見分けられる効果がある。
【図面の簡単な説明】
【００１８】
【図１】第１の実施形態のＨＦ帯のＩＣタグラベルの平面図である。
【図２】第１の実施形態のＵＨＦ帯のＩＣタグラベルの平面図である。
【図３】第１の実施形態のＩＣタグの構成を表す機能ブロック図である。
【図４】第１の実施形態のＩＣタグラベル発行装置の概念的構成図である。
【図５】第１の実施形態のＩＣタグラベル発行方法の動作手順をあらわすフローチャートである。
【図６】第１の実施形態のＩＣタグラベル発行方法の動作手順をあらわすフローチャートである。
【図７】第１の実施形態の変形例１のＩＣタグラベルの平面図である。
【図８】第２の実施形態のＩＣタグラベル発行装置の概念的構成図である。
【図９】第２の実施形態のＩＣタグラベルの断面図である。
【発明を実施するための形態】
【００１９】
＜第１の実施形態＞
以下、本発明の第１の実施形態を図面を参照しつつ説明する。図３は、本実施形態のＩＣタグラベル製造及び発行装置１５０の詳細構造を表す概念的構成図である。
【００２０】
（ＩＣタグラベル）
図１は、本実施形態のＩＣタグラベル製造及び発行装置１５０を用いて作製される一例のＨＦ帯の非接触型ＩＣタグラベル１００の構成を示す図である。すなわち、ＨＦ帯のＩＣタグラベル１００におけるループコイル状のアンテナ１０２を用いたＩＣタグラベル１００の例を示す。
【００２１】
図２は、本実施形態のＩＣタグラベル製造及び発行装置１５０を用いて作製される一例のＵＨＦ帯の非接触型ＩＣタグラベル１００の構成を示す図である。すなわち、ＵＨＦ帯のＩＣタグラベル１００におけるダイポール形状のアンテナ１０２を用いたＩＣタグラベル１００の例を示す。
【００２２】
この非接触型ＩＣタグラベル１００は図１又は図２に示すように、ＰＥＴ等の有機樹脂フィルム又は紙基材等のインレットシート１０３上にアンテナ１０２が形成され、そのアンテナ１０２にＩＣチップ１０１が電気接続されている。そして、そのインレットシート１０３の少なくとも一方の面には接着層形成機構２２１により塗布された粘着剤からなる接着層が積層され、台紙１０４上に接着層を介して設置されている。図１の平面図は、２つのＩＣタグラベル１００が１つのグループを成して、１つのインレットシート１０３上に設置されている場合を示す。
【００２３】
タイミングマーク１０２ｔは、台紙１０４又はインレットシート１０３上に印刷によって形成され、ＩＣタグラベル１００又はインレットシート１０３の位置を検出できるようになっている。図１の実施形態では、台紙１０４上のＩＣタグラベルの配置間隔に対応するように、併設されている。図２では、ＩＣタグラベル１００のグループであるインレットシート１０３の配置間隔に対応するように、併設されている。
【００２４】
位置検出手段２３２によってこのタイミングマーク１０２ｔを検出することで個々のＩＣタグラベル１００の位置を検出する。インレットシート１０３ごとにタイミングマーク１０２ｔが形成されている場合は、予めＩＣタグラベル１００の配置間隔を登録しておき、タイミングマーク１０２ｔによって位置補正する。位置検出手段２３２が各ＩＣタグシート１００の位置を容易に検出するために、図１のように、インレットシート１０３を長尺状にして、そのインレットシート１０３の長手方向に複数のＨＦ帯のＩＣタグラベル１００を一列に配列して、ＩＣタグラベル１００が、台紙１０４の送り出し方向に一列に、規則的に繰り返して配置するようにすることが望ましい。
【００２５】
このように構成された非接触型ＩＣタグラベル１００においては、例えばＨＦ帯のＩＣタグラベル１００の場合は、外部の情報書込／読出手段に近接させることにより、情報書込／読出手段との間に生じた電磁誘導によってアンテナ１０２に電流が流れ、この電流がＩＣチップ１０１に供給されることにより、ＩＣチップ１０１に対する情報の書き込みや
読み出しが行われる。
【００２６】
一方、ＵＨＦ帯のＩＣタグラベル１００の場合は、外部の情報書込／読出手段に近接させることにより、情報書込／読出手段との間で電波を送受信することによってアンテナ１０２に電流が流れ、この電流がＩＣチップ１０１に供給されることにより、ＩＣチップ１０１に対する情報の書き込みや読み出しが行われる。
【００２７】
図３は、本実施形態のＩＣタグラベル１００の機能的構成を表す機能ブロック図である。図３において、ＩＣタグラベル１００は、ＩＣタグラベル製造及び発行装置１５０の装置側アンテナ１４とＵＨＦ帯等の高周波を用いて非接触で信号の送受信を行うアンテナ（タグ側アンテナ）１０２と、このアンテナ１０２に接続されたＩＣチップ１０１とを有している。
【００２８】
（ＩＣチップ）
ＩＣチップ１０１は、アンテナ１０２により受信された搬送波を整流する整流部１５３と、この整流部１５３により整流された搬送波のエネルギを蓄積し駆動電源とするための電源部１５４と、所定の情報信号を記憶し得る情報記憶手段として機能する記憶回路１２０と、上記アンテナ１０２に接続された変復調部１１３と、上記整流部１５３、クロック抽出部１５６、及び変復調部１１３等を介して上記ＩＣタグラベル１００の動作を制御するための制御部１１４と記憶回路１２０を備えている。
【００２９】
ＩＣチップ１０１の記憶回路１２０は書き換え可能な不揮発性メモリであり、その記憶回路１２０のＩＤ領域にＩＤを記録する。
【００３０】
記憶回路１２０のＩＤ領域に書き込むＩＤ情報は、ＩＣタグラベル１００のグループ毎に異なる識別番号であり、ＩＤ領域にコマンドにより書き込まれる。ＩＤは、番号に限らず、数字や文字や特殊文字などからなる一般的なＩＤ情報としてもよい。
【００３１】
記憶回路１２０中には、その他の情報を書き込んでおくこともできる。制御部１１４は、ＩＣタグ全体の動作を制御する。ＩＣタグラベル１００の情報を読み出す場合は、ＩＣタグラベル１００をリーダライタに近づけて、通信用アンテナ１０２により無線通信し、通信するデータを変復調部１１３を介して制御部１１４から送受信する。
【００３２】
変復調部１１３は、アンテナ１０２により受信された上記ＩＣタグラベル製造及び発行装置１５０のアンテナ２３１からの無線通信信号の復調を行うと共に、上記制御部１１４からの応答信号に基づき、アンテナ１０２より受信された搬送波を変調反射する。
【００３３】
制御部１１４は、上記変復調部１１３により復調された受信信号を解釈し、上記記憶回路１２０において記憶された情報信号に基づいて返信信号を生成し、上記変復調部１１３により返信する制御等の基本的な制御を実行する。
【００３４】
に対するＩＣタグラベル１００からの返信信号（後述）に基づきＩＣタグラベル１００の位置を検出し、アンテナ２３１からＩＣタグラベル１００に無線タグ情報を送信し書き込みを行う。
【００３５】
（ＩＣタグラベル製造及び発行装置）
以下で、図４を参照して、本実施形態のＩＣタグラベル製造及び発行装置１５０を用いたＩＣタグラベル１００の製造及び発行方法を説明する。ＩＣタグラベル製造及び発行装置１５０は、図４に示すように、連続状のインレットシート１０３が巻き取られた送り出しロール紙コア２１０ａと、アンテナ及びＩＣチップを備えたＩＣタグインレイ１０８を
台紙１０４上に設置するＩＣタグインレイ搭載機構２２０と、インレットシート１０３上に粘着剤を塗布又は転写して接着層を形成する接着層形成機構２２１と、連続状の台紙１０４が巻き取られた送り出しロール２１０ｂと、その他のローラ２１０ｃ、２１０ｄ、２１０ｅを有する。更に、ＩＣタグデータ書き込み手段２３０と装置制御部２４０を有する。
【００３６】
装置制御部２４０は、各ローラを制御して、送り出しロール紙コア２１０ａからインレットシート１０３を引き出し搬送し、また、そのインレットシート１０３上にＩＣタグインレイ搭載機構２２０を用いてＩＣタグインレイ１０８を搭載する制御を行う。ここで言うＩＣタグインレイ１０８とは、アンテナ１０２とＩＣチップ１０１とから構成されるＩＣタグである。
【００３７】
装置制御部２４０は、送り出しロール２１０ｂから台紙１０４を引き出す制御を行う。そして、装置制御部２４０は、送り出しロール２１０ｂから引き出された台紙１０４の上のローラ２１０ｄと、インレットシート１０３の下のローラ２１０ｅを制御して、インレットシート１０３と台紙１０４の間に接着層を介して積層する。
【００３８】
（ＩＣタグデータ書き込み手段）
ＩＣタグラベル製造及び発行装置１５０におけるＩＣタグデータ書き込み手段２３０は、カバーフィルムと台紙１０４の間に挟み込まれたインレットシート１０３上に形成されたＩＣタグラベル１００との間で、装置側アンテナ２３１を介して、ＨＦ帯又はＵＨＦ帯の高周波を用いた無線通信により信号の送受を行う。
【００３９】
ＩＣタグデータ書き込み手段２３０は、装置側アンテナ２３１と、位置検出手段２３２と、高周波回路２３３と信号処理回路２３４を有する。
【００４０】
位置検出手段２３２は、インレットシート１０３に印刷されたタイミングマーク１０２ｔ（図１又は図２を参照）を検出する。
【００４１】
なお、タイミングマーク１０２ｔは、インレット上にアンテナ１０２と一緒に印刷して形成する以外に、台紙１０４に印刷して形成しておいても良い。
【００４２】
高周波回路２３３が装置側アンテナ２３１を介してＩＣタグラベル１００へアクセスする（データの書き込みを行う）。また、信号処理回路２３４は、ＩＣタグラベル１００にアクセスする信号を処理する。装置制御部２４０は、位置検出手段２３２がタイミングマーク１０２ｔを検出したタイミングに同期させて、ＩＣタグラベル１００へアクセスする信号のタイミングを制御する。
【００４３】
（ＩＣタグラベル発行手順）
図５と図６は、本実施形態のＩＣタグラベル発行方法によりＩＣタグラベルを発行する手順を示すフロー図である。
【００４４】
（ステップＳ１）
ステップＳ１では、ＩＣタグラベル発行装置製造及び発行装置１５０では、装置制御部２４０が送り出しロール紙コア２１０ａを制御して台紙１０４を送り出す。そして、ＩＣタグデータ書き込み手段２３０の位置検出手段２３２により新しいグループのＩＣタグラベル１００のタイミングマーク１０２ｔを検出する。
【００４５】
新しいグループのＩＣタグラベル１００のタイミングマーク１０２ｔは、図１の平面図のインレットシート１０３の端のタイミングマーク１０２ｔである。図１では、１つのイ
ンレットシート１０３に搭載される同一グループのＩＣタグラベル１００が２つある。
【００４６】
（変形例１）
変形例１として、図７のように、１つのインレットシート１０３に搭載される同一グループのＩＣタグラベル１００が３つあっても良い。また、１つのインレットシート１０３に搭載される同一グループのＩＣタグラベル１００が４つ以上の任意の数ｎ個あっても良い。
【００４７】
（ステップＳ２）
ステップＳ２では、装置制御部２４０が、通信ネットワーク３００を介して接続するＩＤ発行機４００に、ＩＤの発行依頼信号を送信する。
【００４８】
ＩＤ発行機４００は、ＩＤの発行依頼信号を受信したら、固有の特性を有する新たなＩＤを発行し、新たな発行済み識別ＩＤとして過去の発行済みＩＤに追加登録する。そして、新たに発行した固有のＩＤを、ＩＣタグラベル製造及び発行装置１５０の装置制御部２４０に送信する。
【００４９】
（ステップＳ３）
ＩＣタグラベル製造及び発行装置１５０は、ＩＤ発行機４００からＩＤを受信するまで待機する。
【００５０】
（ステップＳ４）
ＩＣタグラベル製造及び発行装置１５０の装置制御部２４０は、ＩＤ発行機４００からＩＤを受信したら、それをＩＣタグデータ書き込み手段２３０の信号処理回路２３４に送信する。それにより、信号処理回路２３４がＩＤ信号を生成し、次に、高周波回路２３３が装置側アンテナ２３１からＩＣタグラベル１００にＩＤ信号を送信する。ＩＣタグラベル１００は、受信したＩＤデータを記憶回路１２０のＩＤ領域に書き込む。
【００５１】
（ステップＳ５）
ＩＣタグラベル製造及び発行装置１５０の装置制御部２４０は、ＩＣタグラベル１００にＩＤを書き込んだ場合、ＩＣタグラベル１００の記憶回路１２０に対し以後のＩＤの再書き込みを禁止する、書き込み禁止信号をＩＣタグラベル１００に送信する。すなわち、書き込み禁止信号を信号処理回路２３４で作成し、高周波回路２３３とアンテナ１０２を介してＩＣタグラベル１００に送信する。それにより、そのＩＣタグラベル１００への新たなＩＤの書き込みが禁止される。
【００５２】
（ステップＳ６）
ＩＣタグラベル製造及び発行装置１５０は、１つのＩＣタグラベル１００のＩＣチップ１０１の記憶回路１２０のＩＤ領域にＩＤを書き込んだ後に、ＩＣタグラベル１００から、書き込まれたＩＤを読出す。その結果、そのＩＣタグラベル１００から正常なＩＤが読み出せた場合は、ステップＳ９に進む。
【００５３】
（ステップＳ７）
一方、そのＩＣタグラベル１００から正常なＩＤが読み出せなかった場合は、そのＩＣタグラベル１００が故障している不良と判定する。そして、そのＩＣタグラベル１００を含む同一のグループのＩＣタグラベル全体を不良と判定する。そして、その不良と判定したＩＣタグラベル１００のグループのシート１０３の位置を装置制御部２４０の記憶回路に記憶する。
【００５４】
（ステップＳ８）
そのように、不良のＩＣタグラベル１００を検出した場合は、ＩＣタグラベル製造及び発行装置１５０は、装置制御部２４０が送り出しロール紙コア２１０ａを制御して台紙１０４を送り出す。すなわち、新しいグループのＩＣタグラベル１００のタイミングマーク１０２ｔが検出されるまで台紙１０４を送り出す。次に、ステップＳ４からの処理を繰り返す。
【００５５】
（ステップＳ９）
装置制御部２４０は、ＩＣタグラベル１００から正常なＩＤが読み出せた場合は、同一グループの所定数のＩＣタグラベル１００に同一のＩＤを書き込んだかを判定する。同一グループのＩＣタグラベル１００の所定数に同一のＩＤを書き込んだ場合はステップＳ１に戻る。
【００５６】
（ステップＳ１０）
同一グループのＩＣタグラベル１００で未だＩＤが書き込まれていない場合は、装置制御部２４０が送り出しロール紙コア２１０ａを制御して台紙１０４を送り出して、ＩＣタグデータ書き込み手段２３０の位置検出手段２３２により、同一グループの新しいＩＣタグラベル１００のタイミングマーク１０２ｔを検出する。次に、ステップＳ４からＳ６までを繰り返す。
【００５７】
こうして、ＩＣタグラベル１００にＩＤを書き込む処理を繰り返して台紙１０４を送り出す。そして、その台紙１０４を裁断装置で、同じグループのＩＤを書き込んだＩＣタグラベル１００の集合を搭載したインレットシート１０３単位に裁断する。そして、そのように裁断したインレットシート１０３から、不良と判定したＩＣタグラベル１００を含む同一のグループのＩＣタグラベル全体を不良と判定し、その不良のグループのインレットシート１０３を選別して廃棄処理し、良品のＩＣタグラベル１００のグループのみを出荷する。
【００５８】
（変形例２）
変形例２として、不良と判定したＩＣタグラベル１００を含む同一のグループのＩＣタグラベル全体を不良と判定し、その不良のグループの単位のインレットシート１０３にインクリボン印刷機構２５０（図８）あるいはレーザーマーカーによる印刷装置などの印刷機構２５０を用いて、インレットシート１０３に不良品マークを印刷して不良である旨を記録する。その不良品マークで不良のグループと良品のグループを区別した全体のテープを巻き取って、一巻きの台紙１０４の単位でＩＣタグラベル１００のグループを集合させて出荷するようにすることもできる。
【００５９】
＜第２の実施形態＞
以下、本発明の第２の実施形態を、図８から図９を参照して説明する。
（ＩＣタグラベル発行装置）
図８（ａ）は第２の実施形態のＩＣタグラベル発行装置２００の概略構成図で、筐体内に、ＩＣタグラベル１００と無線通信してデータを読み書きするＩＣタグデータ書き込み手段２３０と、ＩＣタグラベル１００に印字を行う印刷機構２５０とを備えている。図８（ｂ）は本実施形態のＩＣタグラベル発行装置２００の外観を示す斜視図であり、ＩＣタグラベル発行装置２００のラベル発行口２７１からＩＣタグラベル１００を排出する。
【００６０】
複数のＩＣタグラベル１００が台紙１０４に間隔をあけて取付けられ、その台紙１０４が送り出しロール紙コア２６０ａに巻装されている。台紙１０４が送り出しロール紙コア２６０ａから送り出され、台紙１０４の先端が、搬送ローラ１１、ＩＣタグデータ書き込み手段２３０及び印刷機構２５０を通過させた後、剥離板２７０において、台紙１０４のみを搬送方向の逆方向へ方向変換する。剥離板２７０による台紙１０４の方向転換により
、ラベル本体であるインレットシート１０３を台紙１０４より剥離する。そのようにインレットシート１０３を剥離した台紙１０４を巻き取りロール２６０ｃで巻き取る。
【００６１】
剥離板２７０によって台紙１０４から剥離したインレットシート１０３は、ラベル発行口２７１からＩＣタグラベル発行装置２００の筐体の外部へ排出する。そのインレットシート１０３を分割して個々のＩＣタグラベル１００得て、そのＩＣタグラベル１００を製品や製品の梱包材に貼り付けることができる。
【００６２】
印刷機構２５０は、例えば、幅方向に沿って多数の発熱素子を並べたサーマルヘッドとインクリボンとを備え、そのサーマルヘッドが、インクリボンを間にしてプラテンローラ２６０ｂに圧接するように取付ける。
【００６３】
（ＩＣタグラベル）
図９は、本実施形態のＩＣタグラベル発行装置２００を用いて作製される一例の非接触型ＩＣタグラベル１００の断面図を示す。すなわち、剥離性基材であるＰＥＴ等の樹脂フィルム又は紙の台紙１０４の上に接着層１０６を介して、ＰＥＴ等の有機樹脂フィルム又は紙基材等のインレットシート１０３が接着され、そのインレットシート１０３の一方の面にはアンテナ１０２及びＩＣチップ１０１を備えるＩＣタグインレイ１０８が配置され、そのインレットシート１０３（及びアンテナ１０２とＩＣチップ１０１）の接着層形成面の対面に印字層１０７を設置している。そして、印字層１０７の上面を印字面とし、印刷機構２５０を用いて印字する。このＩＣタグラベル１００の接着層１０６は、台紙１０４から剥がすことが可能で、他の物に貼り付けることができる接着材で形成する。
【００６４】
（動作手順）
第２の実施形態のＩＣタグラベル発行装置２００の動作手順は、第１の実施形態と概ね同様である。第１の実施形態のＩＣタグラベル製造及び発行装置１５０と相違する第１の点は、ＩＣタグインレイ搭載機構２２０を装備せず、予め、複数のＩＣタグラベル１００が間隔をあけて取付けられた台紙１０４を送り出しロール紙コア２６０ａに巻装して動作させる点である。また、第１の実施形態と相違する第２の点は、剥離板２７０によって台紙１０４からインレットシート１０３を剥離してラベル発行口２７１から筐体の外部へ排出することである。
【００６５】
それ以外は、概ね第１の実施形態と同様に動作し、装置制御部２４０が送り出しロール紙コア２１０ａを制御して台紙１０４を送り出し、位置検出手段２３２により新しいグループのＩＣタグラベル１００のタイミングマーク１０２ｔを検出して、ＩＣタグデータ書き込み手段２３０がＩＤデータをＩＣタグラベル１００のＩＣチップ１０１の記憶回路１２０に書き込む。
【００６６】
そして、印刷機構２５０は、第１の実施形態の変形例２と同様にして、不良と判定したＩＣタグラベル１００を含む同一のグループのＩＣタグラベル全体を不良と判定し、その不良のグループの単位のインレットシート１０３にインクリボン印刷機構２５０（図８）あるいはレーザーマーカーによる印刷機構などの印刷機構２５０を用いて、インレットシート１０３単位に、印字層１０７上に不良品マークを印刷する。
【００６７】
以上のように、タイミングマーク１０２ｔを位置検出手段２３２で検出することでＩＣタグラベル１００の位置を検出した上で、検出した同一のグループの所定数のＩＣタグラベル１００の記憶回路１２０のＩＤ領域に、同一のＩＤを書き込む。
【００６８】
本発明は、このように同一のグループの所定数のＩＣタグラベル１００に同一のＩＤを書き込むことで、同じグループのＩＣタグラベル１００を、同じグループの他のＩＣタグ
ラベル１００のバックアップ用のＩＣタグラベル１００として利用できる効果がある。
【００６９】
これにより、同じカテゴリーの対象物、例えば自動車のナンバープレート（あるいは自動車本体）とその自動車のキーとに同じＩＤを記録したＩＣタグを添付することで、同じグループの物品を一括して管理することができるようになる効果がある。
【００７０】
更に、１組の物品に同一のＩＤのＩＣタグラベル１００を用い、例えば、パレットとそのパレットへ搭載する物品とに同じＩＤのＩＣタグラベル１００を添付することにより、パレットとそれに搭載されるべき部品との組合せが容易に見分けられる効果がある。
【符号の説明】
【００７１】
１００・・・ＩＣタグラべル
１０１・・・ＩＣチップ
１０２・・・アンテナ
１０２ｔ・・・タイミングマーク
１０３・・・インレットシート
１０４・・・台紙
１０６・・・接着層
１０７・・・印字層
１０８・・・ＩＣタグインレイ
１１１・・・整流部
１１２・・・電源部
１１３・・・変復調部
１１４・・・制御部
１２０・・・記憶回路
１５０・・・ＩＣタグラベル製造及び発行装置
２００・・・ＩＣタグラベル発行装置
２１０ａ、２６０ａ・・・送り出しロール紙コア
２１０ｂ・・・送り出しロール
２１０ｃ、２１０ｄ、２１０ｅ・・・ローラ
２２０・・・ＩＣタグインレイ搭載機構
２２１・・・接着層形成機構
２３０・・・ＩＣタグデータ書き込み手段
２３１・・・装置側アンテナ
２３２・・・位置検出手段
２３３・・・高周波回路
２３４・・・信号処理回路
２４０・・・装置制御部
２５０・・・印刷機構
２６０ｂ・・・プラテンローラ
２６０ｃ・・・巻き取りロール
２７０・・・剥離板
２７１・・・ラベル発行口
３００・・・通信ネットワーク
４００・・・ＩＤ発行機
【図３】
2013131120.tif 000003
【図４】
2013131120.tif 000004
【図５】
2013131120.tif 000005
【図６】
2013131120.tif 000006
【図８】
2013131120.tif 000007
【図１】
2013131120.tif 000008
【図２】
2013131120.tif 000009
【図７】
2013131120.tif 000010
【図９】
2013131120.tif 000011